(57)【要約】【課題】電気接続箱において、連結可能な２つの箱体の密着性を高めることで、連結後にガタ付きが生ずるのを防止することにある。【解決手段】連結可能な２つの箱体（２、３）の壁部の一方（４）に設けられる突部（１７Ａ、１７Ｂ）と２つの箱体（２、３）の壁部の他方（１０）に設けられて突部（１７Ａ、１７Ｂ）に嵌合する溝部（１８Ａ、１８Ｂ）とを備える嵌合部（１６）を設け、溝部（１８Ａ、１８Ｂ）の内面又は突部（１７Ａ、１７Ｂ）の外面には、突部（１７Ａ、１７Ｂ）と溝部（１８Ａ、１８Ｂ）との嵌合完了後に突部（１７Ａ、１７Ｂ）又は溝部（１８Ａ、１８Ｂ）の上下方向の少なくとも一方向と左右方向の少なくとも一方向とに当接するリブ（１９Ａ、１９Ｂ）を設けている。【選択図】図１
2016101056.tif 000002
【特許請求の範囲】
【請求項１】
連結可能な２つの箱体の壁部の一方に設けられる突部と前記２つの箱体の壁部の他方に設けられて前記突部に嵌合する溝部とを備える嵌合部を設け、前記溝部の内面又は前記突部の外面には、前記突部と前記溝部との嵌合完了後に前記突部又は前記溝部の上下方向の少なくとも一方向と左右方向の少なくとも一方向とに当接するリブを設けたことを特徴とする電気接続箱。
【請求項２】
前記２つの箱体の各壁部には前記２つの箱体間を電気的に接続する各コネクタを設け、前記２つの箱体の少なくとも一方の壁部には前記２つの箱体の連結を解除するための工具を差し込む工具差込部を設け、前記突部は前記コネクタと前記工具差込部との間に配置されることを特徴とする請求項１に記載の電気接続箱。
【請求項３】
前記工具差込部は、前記工具の差し込みをガイドするガイド溝であることを特徴とする請求項２に記載の電気接続箱。
【発明の詳細な説明】
【技術分野】
【０００１】
この発明は、電気接続箱に係り、特に２つの箱体を連結する電気接続箱に関する。
【背景技術】
【０００２】
車両においては、連結可能な２つの箱体として、例えば、コントローラと電源ユニットとをコネクタで直接連結し、コントローラと電源ユニットとの間の電線をなくす技術がある。
しかし、コントローラをコネクタで電源ユニットに直接連結させた場合に、コネクタの接続部位にコントローラの重量がかかるため、車両の振動等でコネクタ端子が摺動・摩耗することにより、導通不良を起こす問題があった。
このため、２つの箱体を連結する電気接続箱としては、例えば、以下の先行技術文献がある。
【先行技術文献】
【特許文献】
【０００３】
【特許文献１】特開２００８−１７２８９２号公報
【０００４】
特許文献１に係る電気接続箱は、本体とヒンジを介して本体に回動自在且つ着脱可能に結合されたコントローラとを有し、ヒンジは、コントローラの一端に設けられた軸部と本体に設けられて軸部を回動自在に収容する軸部収容部とを備え、軸部には、軸部の回動軸方向に沿って延びる一方のリブを設け、軸部収容部には、コントローラが本体に取り付けられると同時に一方のリブに当接し且つ一方のリブと直交する向きに配設された他方のリブを設けた構造である。
【発明の概要】
【発明が解決しようとする課題】
【０００５】
ところが、上記の特許文献１では、２つの箱体にガタ付きが生ずるのを防止するために、多くの形状変更が必要で、且つ設置場所にも厳しい制約があった。
また、コネクタ端子の摩耗を抑えるために、コネクタを強く嵌合させており、市場にて電源ユニットの搭載場所周辺の短小なスペースでコントローラを交換する際に取外用工具が必要となり、このため、コントローラの取り外し時に工具によってコネクタが損傷されてしまうという不都合があった。
【０００６】
そこで、この発明は、２つの箱体の連結後にガタ付きが生ずることを防止する電気接続箱を提供することを目的とする。
【課題を解決するための手段】
【０００７】
この発明は、連結可能な２つの箱体の壁部の一方に設けられる突部と前記２つの箱体の壁部の他方に設けられて前記突部に嵌合する溝部とを備える嵌合部を設け、前記溝部の内面又は前記突部の外面には、前記突部と前記溝部との嵌合完了後に前記突部又は前記溝部の上下方向の少なくとも一方向と左右方向の少なくとも一方向とに当接するリブを設けたことを特徴とする。
【発明の効果】
【０００８】
この発明は、２つの箱体の壁部の密着性を高めることで、２つの箱体の連結後にガタ付きが生ずることを防止できる。
【図面の簡単な説明】
【０００９】
【図１】図１はコントローラの斜視図である。（実施例）
【図２】図２は電源ユニットの斜視図である。（実施例）
【図３】図３はコントローラと電源ユニットとを連結する状態を示す電気接続箱の側面図である。（実施例）
【図４】図４は溝部の内面にリブを設けた場合の概略図である。（実施例）
【図５】図５は突部の外面にリブを設けた場合の概略図である。（実施例）
【発明を実施するための形態】
【００１０】
この発明は、２つの箱体の連結後にガタ付きが生ずるのことを防止する目的を、連結する２つの箱体の壁部の密着性を高める嵌合部を設けて実現するものである。
【実施例】
【００１１】
図１〜図５は、この発明の実施例を示すものである。
図１〜図３に示すように、車両には、電気接続箱１を構成するように、連結可能な２つの箱体として、例えば、コントローラ２と電源ユニット３とが搭載される。
コントローラ２は、図１に示すように、例えば、長方体であって、一壁部４と他壁部５と上壁部６と下壁部７と一側壁部８と他側壁部９とを備える。
電源ユニット３は、図２に示すように、例えば、長方体であって、一壁部１０と他壁部１１と上壁部１２と下壁部１３と一側壁部１４と他側壁部１５とを備える。
コントローラ２と電源ユニット３とは、嵌合部１６によって連結される。
【００１２】
嵌合部１６は、この実施例において、例えば、図１に示すように、コントローラ２の一方の壁部としての一壁部４に設けられる一対の突部１７Ａ・１７Ｂと、図２に示すように、電源ユニット３の他方の壁部としての一壁部１０に設けられる一対の溝部１８Ａ・１８Ｂとを備える。
図１に示すように、一対の突部１７Ａ・１７Ｂは、例えば、四角ボス形状に形成され、コントローラ２の一方の壁部としての一壁部４に、水平方向で且つ所定の距離で離間して配置される。
図２に示すように、一対の溝部１８Ａ・１８Ｂは、電源ユニット３の一方の壁部としての一壁部１０に、一対の突部１７Ａ・１７Ｂと対応した位置で、且つ一対の突部１７Ａ・１７Ｂと嵌合するように配置される。溝部１８Ａ・１８Ｂは、突部１７Ａ・１７Ｂを受け入れて嵌合させるように、四角溝形状に形成される。
【００１３】
図２に示すように、溝部１８Ａ・１８Ｂの内面には、突部１７Ａ・１７Ｂと溝部１８Ａ・１８Ｂとの嵌合完了後に、突部１７Ａ・１７Ｂの上下方向の少なくとも一方向と左右方向の少なくとも一方向とに当接するリブ１９Ａ・１９Ｂが設けられる。リブ１９Ａ・１９Ｂは、突部１７Ａ・１７Ｂと溝部１８Ａ・１８Ｂとの嵌合完了後に、コントローラ２と電源ユニット３とにガタ付きが生ずるのを防止するものである。
リブ１９は、例えば、図４に示すように、溝部１８の内面から突出して形成され、下部リブ片２０と側部リブ片２１とを備える。
下部リブ片２０は、突部１７の下面に当接して突部１７の上面を溝部１８の上面に当接させる。側部リブ片２１は、突部１７の一方の側面に当接して突部１７の他方の側面を溝部１８の他方の側面に当接させる。
【００１４】
なお、この実施例において、図５に示すように、突部１７の外面には、突部１７と溝部１８との嵌合完了後に溝部１８の上下方向の少なくとも一方向と左右方向の少なくとも一方向とに当接するリブ１９を設けることも可能である。
リブ１９は、例えば、突部１７の外面から突出して形成され、下部リブ片２０と側部リブ片２１とを備える。
下部リブ片２０は、溝部１８の下面に当接して突部１７の上面を溝部１８の上面に当接させる。側部リブ片２１は、溝部１８の一方の側面に当接して突部１７の他方の側面を溝部１８の他方の側面に当接させる。
この場合、リブ１９の状態が確認しやすくなり、不良品を見つけやすくなる効果が得られる。
【００１５】
このような構造により、コントローラ２の一壁部４の壁面と電源ユニット３の一壁部１０の壁面とにリブ１９を備える嵌合部１６が設けられることから、嵌合部１６によってコントローラ２の一壁部４と電源ユニット３の一壁部１０との密着性を高めることができ、連結後のコントローラ２と電源ユニット３とにガタ付きが生ずるのを防止することができる。つまり、溝部１８内で突部１７を上下方向・左右方向の二方向のガタを１度に詰めることができ、このように、ガタを詰めることにより、コントローラ２と電源ユニット３とが同期して振動するようになるため、コントローラ２と電源ユニット３との嵌合部位で摺動が発生せず、後述のコネクタ２２を保護することができる。
【００１６】
図１、図２に示すように、コントローラ２の一壁部４と電源ユニット３の一壁部１０にとには、コントローラ２と電源ユニット３との間を電気的に接続するコネクタ２２が設けられる。コネクタ２２は、コントローラ２の一壁部４に設けられる一側コネクタ端子２３と、電源ユニット３の一壁部１０に設けられる他側コネクタ端子２４とからなる。
即ち、コントローラ２の一壁部４には、図１に示すように、突部１７Ａ・１７Ｂ間で、水平方向で細長状に形成されたコネクタ用溝２５が設けられる。コネクタ用溝２５内には、コネクタ用溝２５の形状よりも小さく且つ細長い一側コネクタ端子２３が配設される。電源ユニット３の一壁部１０には、図２に示すように、水平方向に配置される溝部１８Ａ・１８Ｂ間で、コネクタ用溝２５内に収容されるように細長状の他側コネクタ端子２４が設けられる。他側コネクタ端子２４は、コネクタ用溝２５内の一側コネクタ端子２３に当接される。
また、箱体の少なくとも一方の壁部として、電源ユニット３の一壁部４には、図２に示すように、コントローラ２と電源ユニット３との連結を解除するために工具を差し込むための溝状の工具差込部２６が設けられる。
工具差込部２６は、工具の差し込みをガイドするガイド溝であり、一対の溝部１８Ａ・１８Ｂのいずれか一方で、水平方向に配置して電源ユニット３の一側壁部１４に開口するように形成される。溝部１８Ａは、他側コネクタ端子２４と工具差込部２６との間に配置される。
【００１７】
このような構造により、コントローラ２と電源ユニット３との連結を解除する際、工具を介入しても他側コネクタ端子２４を損傷させることなく、つまり、突部１７Ａがコントローラ２と電源ユニット３とを取り外す際に工具を挿入する軌跡上で他側コネクタ端子２４の手前に配置されており、工具が他側コネクタ端子２４を傷つけることから保護し、コントローラ２と電源ユニット３との取り外しを可能にする。また、工具差込部２６が工具の差し込みをガイドするガイド溝であることから、連結したコントローラ２と電源ユニット３とを取り外す際に、工具の差し込みをガイドすることで、取外作業性が向上する。更に、工具を差し込むガイドとなる溝状の工具差込部２６を、電源ユニット３に設けることで、工具の軌跡を規制し、確実に他側コネクタ端子２４を工具から保護することができる。
【００１８】
なお、この発明においては、嵌合部として、コントローラに突部を設けるとともに電源ユニットに溝部を設けたが、各ユニットの設計上の都合から、突部と溝部との位置を反転させることも可能であり、これにより、同様の効果が得られる。
また、溝部には、あてリブや、つぶしリブを設けることも可能である。
更に、工具の軌跡規制用にガイド溝としての工具差込部を設けたが、設計上の都合でスペースが取れない場合に、側面の工具差込部にテーパをつけて工具を誘いこむような形状とすることも可能である。
【産業上の利用可能性】
【００１９】
この発明に係る電気接続箱を、各種車両に適用可能である。
【符号の説明】
【００２０】
１  電気接続箱
２  コントローラ
３  電源ユニット
４  コントローラの一壁部
１０  電源ユニットの一壁部
１６  嵌合部
１７Ａ、１７Ｂ  突部
１８Ａ、１８Ｂ  溝部
１９Ａ、１９Ｂ  リブ
２２  コネクタ
２３  一側コネクタ端子
２４  他側コネクタ端子
２５  コネクタ用溝
２６  工具差込部（ガイド溝）
【図１】
2016101056.tif 000003
【図２】
2016101056.tif 000004
【図３】
2016101056.tif 000005
【図４】
2016101056.tif 000006
【図５】
2016101056.tif 000007